(57)【要約】      （修正有）【課題】ヒーター線を純鉄で作って電熱寝具の前面で正確に温度を感知し、外殼に接地線及び金属薄膜フィルムを被服して電磁気場を遮断することができる寝具類用電磁気場遮断発熱線を提供。【解決手段】銅線またはエナメル線でなされた芯線と、該芯線の外周面を囲むように前記芯線の外部面に被服される第１絶縁内皮と、該第１絶縁内皮の外周面に巻線される純鉄(Fe)でなされたヒーター線と、該ヒーター線を含んで前記絶縁内皮の外周面を囲むように前記第１絶縁内皮に被服される第２絶縁内皮と、該第２絶縁内皮の外周面に形成される接地線と、該接地線を含んで前記第２絶縁外周面に被服される金属薄膜フィルムを含んで構成される寝具類用電磁気場遮断発熱線と、これを駆動するための駆動装置。【選択図】図１
2008039384.tif 000002
【特許請求の範囲】
【請求項１】
銅線またはエナメル線でなされた芯線と、
前記芯線の外周面を囲むように前記芯線の外部面に被服される第１絶縁内皮と、
前記第１絶縁内皮の外周面に巻線される純鉄(Fe)でなされたヒーター線と、
前記ヒーター線を含んで前記絶縁内皮の外周面を囲むように前記第１絶縁内皮に被服される第２絶縁内皮と、
前記第２絶縁内皮の外周面に形成される接地線と、
前記接地線を含んで前記第２絶縁内皮の外周面に被服される金属薄膜フィルムを含んで構成されることを特徴とする寝具類用電磁気場遮断発熱線。
【請求項２】
前記接地線は、前記第２絶縁内皮の外周面に巻線されるか、または前記第２絶縁内皮の外周面の長さ方向に長く配置されることを特徴とする請求項１に記載の寝具類用電磁気場遮断発熱線。
【請求項３】
前記第１及び第２絶縁内皮はナイロン、テプロン及びシリコーンのうちで選択されたいずれか一つでなされることを特徴とする請求項１に記載の寝具類用電磁気場遮断発熱線。
【請求項４】
前記金属薄膜フィルムは、銀箔フィルムまたはアルミニウム薄膜フィルムであることを特徴とする請求項１に記載の寝具類用電磁気場遮断発熱線。
【請求項５】
前記純鉄(Fe)でなされたヒーター線は、温度感知機能を有することを特徴とする請求項１に記載の寝具類用電磁気場遮断発熱線。
【請求項６】
前記金属薄膜フィルムを囲むように前記金属薄膜フィルムの外周面に被服される絶縁外皮をさらに含むことを特徴とする請求項１に記載の寝具類用電磁気場遮断発熱線。
【請求項７】
前記絶縁外皮は、ＰＶＣ、シリコーンまたはテプロンでなされることを特徴とする請求項６に記載の寝具類用電磁気場遮断発熱線。
【請求項８】
純鉄線にエナメルコーティングしてなされた芯線と、
前記芯線の外周面を囲むように前記芯線の外部面に被服される第１絶縁被服と、
前記第１絶縁被服の外周面に巻線されてエナメルコーティングされた純鉄(Fe)線でなされたヒーター線と、
前記ヒーター線を含んで前記第１絶縁被服の外周面に被服される第２絶縁被服と、
前記第２絶縁被服の外周面に形成される接地線と、
前記接地線を含んで前記第２絶縁被服の外周面に巻線される絶縁紙を含んで構成されることを特徴とする寝具類用電磁気場遮断発熱線。
【請求項９】
前記第１絶縁被服と前記ヒーター線との間の前記第１絶縁被服の外周面に絶縁紙がさらに被服されていることを特徴とする請求項８に記載の寝具類用電磁気場遮断発熱線。
【請求項１０】
前記接地線は、前記第２絶縁被服の外周面に巻線されるか、または前記第２絶縁被服の外周面に前記第２絶縁被服の長さ方向に配置されることを特徴とする請求項８に記載の寝具類用電磁気場遮断発熱線。
【請求項１１】
前記エナメルコーティングされた純鉄(Fe)線でなされたヒーター線は温度感知機能を有することを特徴とする請求項８に記載の寝具類用電磁気場遮断発熱線。
【請求項１２】
前記第１及び第２絶縁被服はナイロン、テプロン及びシリコーンのうちで選択されたいずれか一つでなされることを特徴とする請求項８に記載の寝具類用電磁気場遮断発熱線。
【請求項１３】
銅線または純鉄線にエナメルコーティングしてなされた芯線と、
前記芯線の外周面を囲むように前記芯線の外部面に被服される絶縁内皮と、
前記絶縁被服の外周面に被服される絶縁紙と、
前記絶縁紙の外周面に巻線される純鉄(Fe)でなされたヒーター線と、
前記ヒーター線を含んで前記絶縁紙の外周面に被服される絶縁外皮と、を含んで構成されることを特徴とする寝具類用電磁気場遮断発熱線。
【請求項１４】
前記純鉄(Fe)でなされたヒーター線は、温度感知機能を有することを特徴とする請求項１３に記載の寝具類用電磁気場遮断発熱線。
【請求項１５】
前記絶縁内皮は、ナイロン、テプロン及びシリコーンのうちで選択されたいずれか一つでなされて、
前記絶縁外皮はＰＶＣ、シリコーンまたはテプロンでなされることを特徴とする請求項１３に記載の寝具類用電磁気場遮断発熱線。
【請求項１６】
銅線または純鉄線でなされた芯線と、
前記芯線の外周面を囲むように前記芯線の外部面に被服される第１絶縁内皮と、
前記第１絶縁内皮の外周面に被服される第１絶縁紙と、
前記第１絶縁紙の外周面に巻線される純鉄(Fe)でなされたヒーター線と、
前記ヒーター線を含んで前記第１絶縁紙の外周面に被服される第２絶縁内皮と、
前記第２絶縁内皮の外周面に被服される第２絶縁紙と、
前記第２絶縁紙の外周面に形成される接地線と、
前記接地線を含んで前記第２絶縁紙の外周面に被服される金属薄膜フィルムと、
前記金属薄膜フィルムの外周面を被服する絶縁外皮を含んで構成されることを特徴とする寝具類用電磁気場遮断発熱線。
【請求項１７】
前記純鉄(Fe)でなされたヒーター線は、温度感知機能を有することを特徴とする請求項１６に記載の寝具類用電磁気場遮断発熱線。
【請求項１８】
前記第１及び第２絶縁内皮は、ナイロン、テプロン及びシリコーンのうちで選択されたいずれか一つでなされて、
前記金属薄膜フィルムは、銀箔フィルムまたはアルミニウム薄膜フィルムでなされて、
前記絶縁外皮は、ＰＶＣ、シリコーンまたはテプロンでなされることを特徴とする請求項１６に記載の寝具類用電磁気場遮断発熱線。
【請求項１９】
銅線または純鉄線でなされた芯線と、
前記芯線の外周面を囲むように前記芯線の外部面に被服される第１絶縁内皮と、
前記第１絶縁内皮の外周面に被服される第１絶縁紙と、
前記第１絶縁紙の外周面に巻線されて純鉄(Fe)でなされたヒーター線と、
前記ヒーター線を含んで前記第１絶縁紙の外周面に被服される第２絶縁内皮と、
前記第２絶縁内皮の外周面に被服される第２絶縁紙と、
前記第２絶縁紙の外周面に形成されるシールド線と、
前記シールド線を含んで発熱線の外周面に形成される絶縁外皮を含んで構成されることを特徴とする寝具類用電磁気場遮断発熱線。
【請求項２０】
前記純鉄(Fe)でなされたヒーター線は、温度感知機能を有することを特徴とする請求項１９に記載の寝具類用電磁気場遮断発熱線。
【請求項２１】
前記第１及び第２絶縁内皮は、ナイロン、テプロン及びシリコーンのうちで選択されたいずれか一つでなされて、
前記絶縁外皮は、ＰＶＣ、シリコーンまたはテプロンでなされることを特徴とする請求項１９に記載の寝具類用電磁気場遮断発熱線。
【請求項２２】
糸でなされた芯線と、
前記芯線の外周面に巻線される純鉄でなされたヒーター線と、
前記芯線を含んで前記ヒーター線を囲むように被服される絶縁内皮と、
前記絶縁内皮の外周面に被服される絶縁紙と、
前記絶縁紙の外周面に形成される接地線と、
前記接地線を含んで前記絶縁紙の外周面に被服される金属薄膜フィルムと、
前記金属薄膜フィルムの外周面に形成される絶縁外皮を具備して構成されることを特徴とする寝具類用電磁気場遮断発熱線。
【請求項２３】
前記純鉄(Fe)でなされたヒーター線は、温度感知機能を有することを特徴とする請求項２２に記載の寝具類用電磁気場遮断発熱線。
【請求項２４】
前記絶縁内皮と前記絶縁紙との間にまたは前記ヒーター線と前記絶縁内皮の間に少なくとも一つの糸が発熱線の長さ方向に配置されるか、または一つの糸が巻線されているか、または網紗模様の糸被服が被服されていることを特徴とする請求項２２に記載の寝具類用電磁気場遮断発熱線。
【請求項２５】
前記絶縁内皮は、ナイロン、テプロン及びシリコーンのうちで選択されたいずれか一つでなされて、
前記金属薄膜フィルムは、銀箔フィルムまたはアルミニウム薄膜フィルムでなされて、
前記絶縁外皮は、ＰＶＣ、シリコーンまたはテプロンでなされることを特徴とする請求項２２に記載の寝具類用電磁気場遮断発熱線。
【請求項２６】
前記糸は、レーヨン糸またはガラス繊維糸であることを特徴とする請求項２４に記載の寝具類用電磁気場遮断発熱線。
【請求項２７】
芯線に機能して純鉄でなされたヒーター線と、
前記ヒーター線の外周面に被服される絶縁内皮と、
前記絶縁内皮の外周面に被服される絶縁紙と、
前記絶縁紙の外周面に巻線される接地線と、
前記接地線を含んで前記絶縁紙の外周面に被服される金属薄膜フィルムと、
前記金属薄膜フィルムの外周面に形成される絶縁外皮を含んで構成されることを特徴とする寝具類用電磁気場遮断発熱線。
【請求項２８】
前記純鉄(Fe)でなされたヒーター線は、温度感知機能を有することを特徴とする請求項２７に記載の寝具類用電磁気場遮断発熱線。
【請求項２９】
前記絶縁内皮と前記絶縁紙との間にまたは前記ヒーター線と前記絶縁内皮との間に少なくとも一つの糸が発熱線の長さ方向に配置されるか、または一つの糸が巻線されているか、または網紗模様の糸被服が被服されていることを特徴とする請求項２７に記載の寝具類用電磁気場遮断発熱線。
【請求項３０】
前記絶縁内皮は、ナイロン、テプロン及びシリコーンのうちで選択されたいずれか一つでなされて、
前記金属薄膜フィルムは、銀箔フィルムまたはアルミニウム薄膜フィルムでなされて、
前記絶縁外皮は、ＰＶＣ、シリコーンまたはテプロンでなされることを特徴とする請求項２７に記載の寝具類用電磁気場遮断発熱線。
【請求項３１】
前記糸は、レーヨン糸またはガラス繊維糸であることを特徴とする請求項２９に記載の寝具類用電磁気場遮断発熱線。
【請求項３２】
純鉄でなされたヒーター線を具備して電源が供給されると熱を発生する電磁気場遮断用発熱線と、
常用電源に過電圧が発生すると自動で遮られる安全回路部と、
前記発熱線に電磁気場が発生されることを感知するための電磁波感知回路部と、
前記常用電源を整流及び平滑して直流電源を各部に供給する静電圧回路部と、
前記発熱線に常用電源を供給する発熱線駆動部と、
前記発熱線のシャント電圧を検出するシャント電圧検出回路部と、
前記発熱線の発熱を設定するための熱設定回路部と、
前記発熱線に電源が供給されていることを表示して前記発熱線にエラーが発生したことを表示する表示部と、
前記熱設定回路部の設定と前記シャント電圧検出回路部で検出された前記発熱線の電流によって前記発熱線駆動部に制御信号を印加して、前記シャント電圧検出回路部で検出された前記発熱線の電流を基準範囲値と比べて基準範囲値を脱すると前記発熱線にエラーが発生したと判断して前記発熱線に供給された電源を遮断して前記表示部に表示する制御部を具備して構成されることを特徴とする寝具類用電磁気場遮断発熱線の駆動装置。
【請求項３３】
前記常用電源の変化にもかかわらず前記制御部に一定な基準電圧を供給する基準電圧供給部をさらに含んで構成されることを特徴とする請求項３２に記載の寝具類用電磁気場遮断発熱線の駆動装置。
【請求項３４】
前記発熱線を少なくとも２個以上具備されて、前記発熱線駆動部、前記シャント電圧検出回路部及び前記熱設定回路部も前記発熱線の個数に対応する個数で具備されて、前記少なくとも２個以上の発熱線をそれぞれ選択的に駆動することができるように選択信号を前記制御部に入力するための選択部をさらに含んで構成されることを特徴とする請求項３２に記載の寝具類用電磁気場遮断発熱線の駆動装置。
【請求項３５】
電源が供給されると熱を発生して温度の高くなるほど抵抗が増加する発熱部と、
常用電源に過電圧が発生すると自動で電源供給を遮断する安全回路部と、
前記発熱部に電磁気波が発生されることを点検してプラグを通じて大地に接地することができるようにする電位点検回路部と、
前記発熱部に供給される常用電源を整流及び平滑して直流電源を各部に供給する静電圧回路部と、
前記発熱部に常用電源の供給をスイッチングする出力回路部と、
前記発熱部の発熱温度を設定するための温度設定回路部と、
前記発熱部の温度を検出する温度検出回路部と、
前記温度検出回路部を通じて前記発熱部に過電流が発生すると前記温度設定回路部の設定値と無関に前記発熱部に電源が供給されないように前記温度設定回路部に制御信号を出力する過電流保護回路部と、
前記温度設定回路部の温度設定による電圧と前記温度検出回路部の温度検出による電圧を比べて前記出力回路部が前記常用電源を前記発熱部に供給するか、または供給しないように制御信号を出力する温度比較回路部と、
前記温度比較回路部が前記常用電源が前記発熱部に供給されないように制御信号を出力する場合、温度を検出するために短い時間の間常用電源を発熱部に供給するように制御するタイム発生回路部を具備して構成されることを特徴とする寝具類用電磁気場遮断発熱線の駆動装置。
【請求項３６】
前記発熱部は、芯線と、純鉄(Fe)でなされるヒーター線と、該ヒーター線の外殼に形成されるシールド線または接地線を具備して構成されることを特徴とする請求項３５に記載の寝具類用電磁気場遮断発熱線の駆動装置。
【請求項３７】
前記発熱部は、芯線として機能して純鉄(Fe)でなされるヒーター線と、該ヒーター線の外殼に形成されるシールド線または接地線を具備して構成されることを特徴とする請求項３５に記載の寝具類用電磁気場遮断発熱線の駆動装置。
【請求項３８】
前記静電圧回路部は、常用電源が供給されることを表示するための電源表示ランプを具備することを特徴とする請求項３５に記載の寝具類用電磁気場遮断発熱線の駆動回路。
【請求項３９】
前記電位点検回路部は、電位点検ガイド線、少なくとも一つの増幅トランジスター、電位点検ランプ及び電位点検ボタンを具備して、前記発熱部で発生される電磁気波を増幅して前記電位点検ボタンがタッチされると前記電位点検ランプを発光して使用者にとってプラグの挿入位置を補正するように表示することを特徴とする請求項３５に記載の寝具類用電磁気場遮断発熱線の駆動回路。
【請求項４０】
前記温度検出回路部は、抵抗及びコンデンサーなどで構成されて前記発熱部の温度が低ければ高い電圧を出力して、前記発熱部の温度が高ければ相対的に低い電圧を出力することを特徴とする請求項３５に記載の寝具類用電磁気場遮断発熱線の駆動回路。
【請求項４１】
前記過電流保護回路部は、電圧補償素子、検波ダイオード、駆動トランジスター及び過電流素子などで構成されて前記温度検出回路部を通じて前記発熱部で過電流が発生されることを感知して前記発熱部に供給される電源を遮断するようにする制御信号を前記温度設定回路部に出力することを特徴とする請求項３５に記載の寝具類用電磁気場遮断発熱線の駆動回路。
【請求項４２】
前記温度比較回路部は、ヒステリシス抵抗及び比較素子を具備して、前記温度検出回路部で出力された電圧が前記温度設定回路部で出力された電圧より高ければ、前記常用電源が前記発熱部に供給されるように前記出力回路部に制御信号を出力して、前記温度検出回路部で出力された電圧が前記温度設定回路部で出力された電圧より低ければ前記常用電源が前記発熱部に供給されないように前記出力回路部に制御信号を出力することを特徴とする請求項３５に記載の寝具類用電磁気場遮断発熱線の駆動回路。
【請求項４３】
前記タイム発生回路部は、一定なパルス信号を発生するタイム発生素子及びパルス駆動トランジスターなどで構成されて、前記パルス信号によって前記温度比較回路部の出力端と接地端との間をスイッチングすることを特徴とする請求項３５に記載の寝具類用電磁気場遮断発熱線の駆動回路。
【請求項４４】
前記出力回路部は、第１、第２、第３ダイオード、トランジスター、出力制御用サイリスター及び出力表示ランプを具備して、前記温度比較回路部で出力される制御信号によって前記発熱部に供給される常用電源をスイッチングして、前記タイム発生回路部によって瞬間的に前記発熱部に常用電源を供給することを特徴とする請求項３５に記載の寝具類用電磁気場遮断発熱線の駆動回路。
【請求項４５】
前記出力回路部は、前記発熱部のヒーター線の一端は前記第１ダイオード及び出力制御用サイリスターを通じて常用電源の第２端子側に連結されて、前記発熱部の芯線の一端は前記常用電源の第１端子側に連結されて、前記ヒーター線の他端は前記第２ダイオードを通じて前記芯線の他端に連結されて、前記第３ダイオードによって逆放電が防止されることを特徴とする請求項４４に記載の寝具類用電磁気場遮断発熱線の駆動回路。
【請求項４６】
前記発熱部のシールド線は、前記芯線と共に前記常用電源の第１端子に連結されることを特徴とする請求項４４に記載の寝具類用電磁気場遮断発熱線の駆動回路。
【請求項４７】
前記出力回路部は、第１、第２、第３ダイオード、トランジスター、出力制御用サイリスター、巻線抵抗及び出力表示ランプを具備して、前記温度比較回路部で出力される制御信号によって前記発熱部に供給される常用電源をスイッチングして、前記タイム発生回路部によって瞬間的に前記発熱部に常用電源を供給して前記サイリスターのオン/オフ動作時に発生されることができるピーク電圧を前記巻線抵抗によって防止することを特徴とする請求項３５に記載の寝具類用電磁気場遮断発熱線の駆動回路。
【発明の詳細な説明】
【技術分野】
【０００１】
本発明は、寝具類用電磁気場遮断発熱線とその駆動装置に関し、特に、電磁気場遮断発熱線のヒーター線を純鉄で形成して別途の温度感知線を使わないで温度を正確に調節することができるし、熱が上がるほどエネルギーが節約されて電磁気場を遮断して過電流などから火事を防止することができる寝具類用電磁気場遮断発熱線及びその駆動装置に関する。
【背景技術】
【０００２】
一般に、電熱寝具類は電気エネルギーを熱エネルギーに変化させて熱を発生させることで、一定温度で暖房するものであり、電気毛布、電気マット及び電気カーペットなどがある。
【０００３】
このような電熱寝具類は、発熱線を保温材の内部に所定間隔で配列して、前記発熱線の終端に使用者が任意で温度を設定して設定された温度を維持するために前記発熱線に供給される電源を調節する温度調節装置を具備して構成される。
【０００４】
また、前記のような電熱寝具類には前記発熱線で発熱される温度を感知して、前記発熱線に供給される電源を調節して温度を制御するための温度センサーが電熱寝具類の内部所定位置にチップ形態で装着されることが必須であった。
【０００５】
しかし、このような従来の電熱寝具類では上述したところのように温度を感知するための温度センサーが電熱寝具の特定位置に装着されるので、前記温度センサーが寝具類の全体的な温度を感知することができずに、温度センサーが装着された位置での温度のみを感知して電熱寝具類に印加される電源を調節するようになる。よって、温度センサーが位置した部分が異常加熱されるか、または重ねられるか重なる場合には電熱寝具類の一部分に対する温度の感知によって温度制御が非正常的になされるようになった。
【０００６】
すなわち、発熱線と分離した別途の温度センサーを装着して温度を検出するので、発熱線内部の短絡によって発生する発熱線全体の温度を検出することができないだけでなく、任意の位置での局所的な過熱も検出することができなくて、温度制御が非正常的になされるようになる問題点があった。また、前記発熱線が局所的に過熱するか、または短絡及び断線されると、火事及び感電事故が発生することがある問題点があった。
【発明の開示】
【発明が解決しようとする課題】
【０００７】
本発明は、このような従来の電熱寝具類の問題点を解決するためのものであり、ヒーター線を純鉄で作って電熱寝具の前面で正確に温度を感知することができるし、外殼に接地線及び金属薄膜フィルムを被服して電磁気場を遮断することができる寝具類用電磁気場遮断発熱線を提供することにその目的がある。
【０００８】
また、本発明は芯線またはヒーター線を純鉄で作って別途の温度センサーを使わないで、温度を正確に調節することができるし、絶縁紙を使用して絶縁特性を向上させて、熱が上がるほどエネルギーが節約される寝具類用電磁気場遮断発熱線を提供することにその目的がある。
【０００９】
また、本発明は前記した電磁気場遮断発熱線に過電流が供給されるなど非正常的に電源が供給されると、直ちに電源を遮断することができる寝具類用電磁気場遮断発熱線の駆動装置を提供することにその目的がある。
【課題を解決するための手段】
【００１０】
前記した目的を達成するための本発明の一様態による寝具類用電磁気場遮断発熱線は、銅線またはエナメル線でなされた芯線と、該芯線の外周面を囲むように前記芯線の外部面に被服される第１絶縁内皮と、該第１絶縁内皮の外周面に巻線される純鉄(Fe)でなされたヒーター線と、該ヒーター線を含んで前記絶縁内皮の外周面を囲むように前記第１絶縁内皮に被服される第２絶縁内皮と、前記第２絶縁内皮の外周面に形成される接地線と、該接地線を含んで前記第２絶縁内皮の外周面に被服される金属薄膜フィルムを含んで構成されることを特徴とする。
【００１１】
そして、前記した目的を達成するための本発明の他の様態による寝具類用電磁気場遮断発熱線は、純鉄線にエナメルコーティングしてなされた芯線と、該芯線の外周面を囲むように前記芯線の外部面に被服される第１絶縁被服と、該第１絶縁被服の外周面に巻線されてエナメルコーティングされた純鉄(Fe)線でなされたヒーター線と、該ヒーター線を含んで前記第１絶縁被服の外周面に被服される第２絶縁被服と、該第２絶縁被服の外周面に形成される接地線と、該接地線を含んで前記第２絶縁被服の外周面に巻線される絶縁紙を含んで構成されることを特徴とする。
【００１２】
また、前記した目的を達成するための本発明のまた他の様態による寝具類用電磁気場遮断発熱線は、銅線または純鉄線にエナメルコーティングしてなされた芯線と、該芯線の外周面を囲むように前記芯線の外部面に被服される絶縁内皮と、前記絶縁被服の外周面に被服される絶縁紙と、該絶縁紙の外周面に巻線される純鉄(Fe)でなされたヒーター線と、該ヒーター線を含んで前記絶縁紙の外周面に被服される絶縁外皮を含んで構成されることを特徴とする。
【００１３】
また、前記した目的を達成するための本発明のまた他の様態による寝具類用電磁気場遮断発熱線は、銅線または純鉄線でなされた芯線と、該芯線の外周面を囲むように前記芯線の外部面に被服される第１絶縁内皮と、該第１絶縁内皮の外周面に被服される第１絶縁紙と、該第１絶縁紙の外周面に巻線される純鉄(Fe)でなされたヒーター線と、該ヒーター線を含んで前記第１絶縁紙の外周面に被服される第２絶縁内皮と、該第２絶縁内皮の外周面に被服される第２絶縁紙と、該第２絶縁紙の外周面に形成される接地線と、該接地線を含んで前記第２絶縁紙の外周面に被服される金属薄膜フィルムと、該金属薄膜フィルムの外周面を被服する絶縁外皮を含んで構成されることを特徴とする。
【００１４】
また、前記した目的を達成するための本発明のまた他の様態による寝具類用電磁気場遮断発熱線は、銅線または純鉄線でなされた芯線と、該芯線の外周面を囲むように前記芯線の外部面に被服される第１絶縁内皮と、該第１絶縁内皮の外周面に被服される第１絶縁紙と、該第１絶縁紙の外周面に巻線されて純鉄(Fe)でなされたヒーター線と、該ヒーター線を含んで前記第１絶縁紙の外周面に被服される第２絶縁内皮と、該第２絶縁内皮の外周面に被服される第２絶縁紙と、該第２絶縁紙の外周面に形成されるシールド線と、該シールド線を含んで発熱線の外周面に形成される絶縁外皮を含んで構成されることを特徴とする。
【００１５】
また、前記した目的を達成するための本発明のまた他の様態による寝具類用電磁気場遮断発熱線は、糸でなされた芯線と、該芯線の外周面に巻線される純鉄でなされたヒーター線と、前記芯線を含んで前記ヒーター線を囲むように被服される絶縁内皮と、該絶縁内皮の外周面に被服される絶縁紙と、該絶縁紙の外周面に形成される接地線と、該接地線を含んで前記絶縁紙の外周面に被服される金属薄膜フィルムと、該金属薄膜フィルムの外周面に形成される絶縁外皮を具備して構成されることを特徴とする。
【００１６】
また、前記した目的を達成するための本発明のまた他の様態による寝具類用電磁気場遮断発熱線は、芯線として機能して純鉄でなされたヒーター線と、該ヒーター線の外周面に被服される絶縁内皮と、該絶縁内皮の外周面に被服される絶縁紙と、該絶縁紙の外周面に巻線される接地線と、該接地線を含んで前記絶縁紙の外周面に被服される金属薄膜フィルムと、該金属薄膜フィルムの外周面に形成される絶縁外皮を含んで構成されることを特徴とする。
【００１７】
一方、前記した目的を達成するための本発明の一様態による寝具類用電磁気場遮断発熱線の駆動装置は、純鉄でなされたヒーター線を具備して電源が供給されると熱を発生する電磁気場遮断用発熱線と、常用電源に過電圧が発生すると自動で遮られる安全回路部と、前記発熱線に電磁気場が発生されることを感知するための電磁波感知回路部と、前記常用電源を整流及び平滑して直流電源を各部に供給する静電圧回路部と、前記発熱線に常用電源を供給する発熱線駆動部と、前記発熱線のシャント(shunt)電圧を検出するシャント電圧検出回路部と、前記発熱線の発熱を設定するための熱設定回路部と、前記発熱線に電源が供給されていることを表示して、前記発熱線にエラーが発生したことを表示する表示部と、前記熱設定回路部の設定と前記シャント電圧検出回路部で検出された前記発熱線の電流によって前記発熱線駆動部に制御信号を印加して、前記シャント電圧検出回路部で検出された前記発熱線の電流を基準範囲値と比べて基準範囲値を脱すると前記発熱線にエラーが発生したものとして判断して、前記発熱線に供給された電源を遮断して前記表示部に表示する制御部を具備して構成されることを特徴とする。
【００１８】
また、前記した目的を達成するための本発明の他の様態による寝具類用電磁気場遮断発熱線の駆動装置は、電源が供給されると熱を発生して温度が高くなるほど抵抗が増加する発熱部と、常用電源に過電圧が発生すると自動で電源供給を遮断する安全回路部と、前記発熱部に電磁気波が発生されることを点検してプラグを通じて大地に接地することができるようにする電位点検回路部と、前記発熱部に供給される常用電源を整流及び平滑して直流電源を各部に供給する静電圧回路部と、前記発熱部に常用電源の供給をスイッチングする出力回路部と、前記発熱部の発熱温度を設定するための温度設定回路部と、前記発熱部の温度を検出する温度検出回路部と、該温度検出回路部を通じて前記発熱部に過電流が発生すると前記温度設定回路部の設定値に無関に前記発熱部に電源が供給されないように前記温度設定回路部に制御信号を出力する過電流保護回路部と、前記温度設定回路部の温度設定による電圧と前記温度検出回路部の温度検出による電圧を比べて前記出力回路部が前記常用電源を前記発熱部に供給するか、または供給しないように制御信号を出力する温度比較回路部と、該温度比較回路部が前記常用電源が前記発熱部に供給されないように制御信号を出力する場合、温度を検出するために短い時間の間に常用電源を発熱部に供給するように制御するタイム発生回路部を具備して構成されることを特徴とする。
【発明の効果】
【００１９】
以上で説明したところのように、本発明によると次のような效果がある。
【００２０】
第一、本発明による寝具類用発熱線はヒーター線を温度変化による抵抗変化が一定な純鉄で構成するので、別途の温度感知線を使わなくて正確な温度調節ができて、前記純鉄は温度変化による抵抗の変化幅が相対的に小さいので(傾きが緩やかであるので)、熱が上がるほどエネルギーが節約される。
【００２１】
第二、本発明による寝具類用発熱線は、前記純鉄でなされたヒーター線の外殼に接地線及び金属薄膜フィルムを被服するので、電磁気場を遮断することができる。また、前記純鉄でなされたヒーター線の外殼に接地線及び金属薄膜フィルムを被服して前記接地線を大地と間接に接地するので、前記発熱線に誘導電流が発生されなくて電磁気場を遮断することができる。
【００２２】
第三、本発明による寝具類用発熱線は芯線とヒーター線との間及びヒーター線と接地及びシールド線との間にナイロンなどの絶縁被服だけでなく絶縁紙を被服するので、前記各間の絶縁特性が向上して高温でも発熱線にショート不良が防止される。
【００２３】
第四、本発明による寝具類用発熱線は糸被服を形成して、前記ヒーター線によって加熱された空気が自由に流れることができる空間を確保するので、発熱線全体で均等な発熱效果を得ることができるし、併せて寝具類でも全体にかけて均一な加熱效果を得ることができる。
【００２４】
五番目、本発明による電磁気場遮断発熱線の駆動装置は、発熱線の全体で温度を検出して発熱線の全体面積のある位置で短絡されても前記発熱線に過電流が供給されるなど非正常的に電源が供給されると直ちに電源を遮断するので過熱、火事発生及び感電事故を事前に防止してより安全に寝具類を利用することができる。
【００２５】
六番目、本発明による電磁気場遮断発熱線の駆動装置は別途の温度センサーを使わないとしても発熱線間の過熱、断線、短絡を判断して、設定された過電流保護回路部で発熱線に加熱電流を適切に供給するかの可否を決めるようにして、簡単な構成だけでも温度調節が可能で、寝具類をより安全に使用することができる。
【発明を実施するための最良の形態】
【００２６】
前記のような特徴を有する本発明による寝具類用電磁気場遮断発熱線と、これの駆動装置に対して添付された図面を参照してより詳しく説明する。
【００２７】
図１は本発明の第１実施例による寝具類用電磁気場遮断発熱線の構成図である。
【００２８】
図１に示すように、本発明の第１実施例による電磁気場遮断発熱線は、銅線またはエナメル線でなされた芯線１１０と、該芯線１１０の外周面を囲むように前記芯線の外部面に被服される第１絶縁内皮１２０と、該第１絶縁内皮１２０の外周面に巻線されるヒーター線１３０と、該ヒーター線１３０を含んで前記第１絶縁内皮１２０の外周面を囲むように前記第１絶縁内皮１２０に被服される第２絶縁内皮１４０と、該第２絶縁内皮１４０の外周面に巻線される、例えば、銅線でなされる接地線１５０と、該接地線１５０を含んで前記第２絶縁内皮１４０を囲むように前記第２絶縁内皮１４０の外周面に被服される絶縁性の金属薄膜フィルム１６０を具備して構成される。
【００２９】
ここで、前記ヒーター線１２０は純度９９．９％以上の純鉄(Fe)で形成されて、前記第１及び第２絶縁被服１２０、１４０はナイロン、テプロンまたはシリコーンなどの絶縁材質が使用される。また、前記金属薄膜フィルム１６０はアルミニウム薄膜フィルムまたは銀箔フィルム(銀箔紙)でなされる。
【００３０】
図２は、本発明の第２実施例による寝具類用電磁気場遮断発熱線の構成図である。
【００３１】
図２に示すように、本発明の第２実施例による電磁気場遮断発熱線は金属薄膜フィルム１６０を囲むように前記金属薄膜フィルム１６０の外周面に被服されるＰＶＣ、シリコーンまたはテプロンなどでなされる絶縁外皮１７０をさらに含んで構成されている点を除いては前記した図１の実施例と同一である。
【００３２】
図３は、本発明の第３実施例による寝具類用電磁気場遮断発熱線の構成図である。
【００３３】
図３に示すように、本発明の第３実施例による電磁気場遮断発熱線は接地線１５０が第２絶縁内皮１４０に巻線されないで前記第２絶縁内皮１４０と金属薄膜フィルム１６０との間に発熱線に沿って長く配置されていることを除いては、前記した図１の実施例と同一である。すなわち、前記接地線１５０は前記第２絶縁内皮１４０の外周面に前記電磁気場遮断発熱線の長さ方向に長く形成されて、前記金属薄膜フィルム１６０は前記接地線１５０を含んで前記第２絶縁内皮１４０の外周面に重畳されるように被服されている。
【００３４】
ここで、本発明の第３実施例による寝具類用電磁気場遮断発熱線は前記金属薄膜フィルム１６０を囲むように前記金属薄膜フィルム１６０の外周面に被服されるＰＶＣ、シリコーンまたはテプロンなどでなされる絶縁外皮をさらに含んで構成されても良い。
【００３５】
図４は本発明によるヒーター線の温度による抵抗変化値を示す表であり、図５は本発明によるヒーター線の温度と抵抗の変化を示すグラフである。
【００３６】
前記図４及び図５で分かるように、本発明ではヒーター線１３０として純鉄を使用するので、温度による抵抗変化が一定な傾きを有している。よって、発熱線の温度を正確に測定することができる。
【００３７】
それだけでなく、前記純鉄は温度変化による抵抗の変化幅(傾きが緩やかである)が相対的に小さいので、熱が上がるほどエネルギーが節約される。
【００３８】
前記した本発明による第１ないし第３実施例による発熱線は芯線が銅線またはエナメル線でなされてヒーター線を純鉄で形成したものである。ところが、最近に芯線を銅線またはエナメル線で形成しないで芯線を純鉄線で形成して実験した結果、温度変化による抵抗の変化幅がよりさらに小さく(傾きが緩やかである)熱の上がるほどエネルギーが節約されることを見つけるようになった。
【００３９】
次に、本発明によって芯線を純鉄線で形成した電磁気場遮断発熱線に対して具体的に説明すると次のようである。
【００４０】
図６は本発明の第４実施例による寝具類用電磁気場遮断発熱線の構成図である。
【００４１】
図６に示すように、本発明の第４実施例による電磁気場遮断発熱線は、純鉄線１１５aにエナメル１１５bコーティングされた芯線１１５と、該芯線１１５の外周面を囲むように前記芯線１１５の外部面に被服される第１絶縁被服１２５と、該第１絶縁被服１２５の外周面に巻線される第１絶縁紙１３５と、該第１絶縁紙１３５の外周面に巻線されてエナメル１４５bにコーティングされた純鉄線１４５aでなされたヒーター線１４５と、該ヒーター線１４５を含んで前記第１絶縁紙１３５の外周面に被服される第２絶縁被服１５５と、該第２絶縁被服１５５の外周面に巻線される、例えば、銅線でなされる接地線１６５と、該接地線１６５を含んで前記第２絶縁被服１５５の外周面に巻線される第２絶縁紙１７５を具備して構成される。
【００４２】
ここで、前記純鉄線は純度９９．９％以上であり、前記第１及び第２絶縁被服１２５、１５５はナイロン、シリコーンまたはテプロンなどの絶縁材質が使用される。
【００４３】
前記図６の実施例では前記接地線１６５が前記第２絶縁被服１５５の外周面に巻線されることを示したが、これに限定されない。すなわち、前記接地線１６５が前記第２絶縁被服１５５に巻線されないで、前記第２絶縁被服１５５と第２絶縁紙１７５との間に発熱線に沿って長く形成されることができる。すなわち、前記接地線１６５は前記第２絶縁被服１５５の外周面に前記電磁気場遮断発熱線の長さ方向に長く形成されることができる。
【００４４】
図７は、本発明の第５実施例による寝具類用電磁気場遮断発熱線の構成図である。
【００４５】
図７に示すように、本発明の第５実施例による電磁気場遮断発熱線は、銅線または純鉄線にエナメルコーティングされた芯線２１０と、該芯線２１０の外周面を囲むように前記芯線２１０の外部面に被服される絶縁被服２２０と、該絶縁被服２２０の外周面に巻線される絶縁紙２３０と、該絶縁紙２３０の外周面に巻線される純鉄線でなされたヒーター線２４０と、該ヒーター線２４０を含んで前記絶縁紙２３０の外周面に被服されるＰＶＣ、シリコーンまたはテプロンなどの絶縁外皮２５０を具備して構成される。
【００４６】
ここで、前記純鉄線は純度９９．９％以上であり、前記絶縁被服２２０はナイロン、シリコーンまたはテプロンなどの絶縁材質が利用される.。
【００４７】
図８は、本発明の第６実施例による寝具類用電磁気場遮断発熱線の構成図である。
【００４８】
図８に示すように、本発明の第６実施例による電磁気場遮断発熱線は、銅線または純鉄線にエナメルコーティングされた芯線３１０と、該芯線３１０の外周面を囲むように前記芯線３１０の外部面に被服される第１絶縁内皮３２０と、該第１絶縁内皮３２０の外周面に被服される第１絶縁紙３３０と、該第１絶縁紙３３０の外周面に巻線される純鉄線でなされたヒーター線３４０と、該ヒーター線３４０を含んで前記第１絶縁紙３３０の外周面に被服される第２絶縁内皮３５０と、該第２絶縁内皮３５０の外周面に被服される第２絶縁紙３６０と、該第２絶縁紙３６０の外周面に巻線される、例えば、銅線でなされる接地線３７０と、該接地線３７０を含んで前記第２絶縁紙３６０の外周面に被服されるアルミニウム薄膜または銀箔紙などでなされた金属薄膜フィルム３８０と、該金属薄膜フィルム３８０を含んで発熱線の外周面に形成される絶縁外皮３９０を具備して構成される。
【００４９】
ここで、前記純鉄線は、純度９９．９％以上であり、前記第１、第２絶縁内皮３２０、３５０はナイロン、シリコーンまたはテプロンなどの絶縁材質が使用される。また、前記絶縁外皮３９０はＰＶＣ、シリコーンまたはテプロンなどでなされる。
【００５０】
また、前記した図８の実施例では前記接地線３７０が前記第２絶縁紙３６０の外周面に巻線されることを示したが、これに限定されない。すなわち、前記接地線３７０が前記第２絶縁紙３６０に巻線されないで、前記第２絶縁紙３６０と金属薄膜フィルム３８０との間に発熱線に沿って長く形成されることができる。すなわち、前記接地線３７０は前記第２絶縁紙３６０の外周面に前記電磁気場遮断発熱線の長さ方向に長く形成されることができる。
【００５１】
図９は本発明の第７実施例による寝具類用電磁気場遮断発熱線の構成図である。
【００５２】
図９に示すように、本発明の第７実施例による電磁気場遮断発熱線は、銅線または純鉄線にエナメルコーティングされた芯線４１０と、該芯線４１０の外周面を囲むように前記芯線４１０の外部面に被服される第１絶縁内皮４２０と、該第１絶縁内皮４２０の外周面に巻線される第１絶縁紙４３０と、該第１絶縁紙４３０の外周面に巻線されて純鉄線でなされたヒーター線４４０と、該ヒーター線４４０を含んで前記第１絶縁紙４３０の外周面に被服される第２絶縁内皮４５０と、該第２絶縁内皮４５０の外周面に被服される第２絶縁紙４６０と、該第２絶縁紙４６０の外周面に形成されるシールド線４７０と、該シールド線４７０を含んで発熱線の外周面に形成される絶縁外皮４８０を具備して構成される。
【００５３】
ここで、前記純鉄線は純度９９．９％以上であり、前記第１及び第２絶縁内皮４２０、４５０はナイロン、シリコーンまたはテプロンなどの絶縁材質が使用される。また、前記絶縁外皮４８０はＰＶＣ、シリコーンまたはテプロンなどでなされる。
【００５４】
図１０は本出願人によって前記した第１ないし第３実施例の電磁気場遮断発熱線と第４ないし第７実施例の電磁気場遮断発熱線の温度と抵抗の変化を比べたグラフである。図１０で分かるように、第１ないし第３実施例の電磁気場遮断発熱線(a)より第４ないし第７実施例の電磁気場遮断発熱線(ｂ)が温度変化による抵抗の変化幅(傾き)がさらに緩やかである。よって、第４ないし第７実施例の電磁気場遮断発熱線が第１ないし第３実施例の電磁気場遮断発熱線より熱が上がるほどエネルギーが節約される。
【００５５】
図１１は本発明の第８実施例による寝具類用電磁気場遮断発熱線の構成図である。
【００５６】
図１１に示すように、本発明の第８実施例による電磁気場遮断発熱線は、糸でなされた芯線５１０と、該芯線５１０の外周面に巻線される純鉄線でなされたヒーター線５２０と、前記芯線５１０を含んで前記ヒーター線５２０を囲むように被服されるナイロン、テプロンまたはシリコーンなどでなされた絶縁内皮５３０と、該絶縁内皮５３０の外周面に形成されて一定空間を確保する糸被服５４０と、該糸被服５４０を含んで前記絶縁内皮５３０の外周面に被服される絶縁紙５５０と、該絶縁紙５５０の外周面に巻線される、例えば、銅線でなされる接地線５６０と、該接地線５６０を含んで前記絶縁紙５５０の外周面に被服されるアルミニウム薄膜及び銀箔紙などでなされた金属薄膜フィルム５７０と、該金属薄膜フィルム５７０の外周面に形成されるＰＶＣ、シリコーンまたはテプロンなどでなされる絶縁外皮５８０を具備して構成される。
【００５７】
ここで、前記糸被服５４０は複数個の糸が前記発熱線の長さ方向に一直線に被服されて糸と糸との間に空間が確保されて加熱空気が自由に流れるようにする。前記糸被服５４０に使用される糸の種類としては熱に強いレーヨン糸またはガラス繊維糸が適当である。また、前記糸被服５４０は網紗模様でなされて前記絶縁内皮５３０の外周面を被服しても良くて、または一つの糸が前記絶縁内皮５３０の外周面を囲むように巻線されても良い。また、前記純鉄線は純度９９．９％以上であることが望ましい。
【００５８】
図１２は本発明の第９実施例による寝具類用電磁気場遮断発熱線の構成図である。
【００５９】
図１２に示すように、本発明の第９実施例による寝具類用発熱線は、芯線として機能して熱を発生する純鉄線でなされたヒーター線６１０と、該ヒーター線６１０の外周面に被服されるナイロン、テプロンまたはシリコーンなどでなされた絶縁内皮６２０と、該絶縁内皮６２０の外周面に形成されて一定空間を確保する糸被服６３０と、該糸被服６３０を含んで前記ヒーター線６１０の外周面に被服される絶縁紙６４０と、該絶縁紙６４０の外周面に巻線される、例えば、銅線でなされた接地線６５０と、該接地線６５０を含んで前記絶縁紙６４０の外周面に被服されるアルミニウム薄膜及び銀箔紙などでなされた金属薄膜フィルム６６０と、該金属薄膜フィルム６６０の外周面に形成されるＰＶＣ、シリコーンまたはテプロンなどでなされた絶縁外皮６７０を具備して構成される。
【００６０】
ここで、前記糸被服６３０は、複数個の糸が前記発熱線の長さ方向に一直線に被服されて糸と糸との間に空間が確保されて加熱空気が自由に流れるようにする。前記糸被服６３０に使用される糸の種類としては熱に強いレーヨン糸またはガラス繊維糸が適当である。また、前記糸被服６３０は網紗模様でなされて前記絶縁内皮６２０の外周面を被服しても良くて、または一つの糸が前記絶縁内皮６２０の外周面を囲むように巻線されても良い。また、前記純鉄線は純度９９．９％以上であることが望ましい。
【００６１】
次に、前記のように構成された本発明の第１ないし第９実施例による寝具類用電磁気場遮断発熱線を駆動するための本発明による寝具類用電磁気場遮断発熱線の駆動装置に対する望ましい実施例らに対して説明する。
【００６２】
図１３は、本発明の第１実施例による寝具類用電磁気場遮断発熱線の駆動回路を示す図面である。
【００６３】
図１３に示すように、本実施例による寝具類用電磁気場遮断発熱線の駆動装置は、第１及び第２電磁気場遮断発熱線８Ａａ、８Ａｂ、安全回路部１Ａ、電磁波感知回路部２Ａ、静電圧回路部６Ａ、第１及び第２発熱線駆動部５Ａａ、５Ａｂ、第１及び第２シャント電圧検出回路部９Ａａ、９Ａｂ、第１及び第２熱設定回路部１０Ａａ、１０Ａｂ、選択部１１Ａ、基準電圧発生回路部４Ａ、表示部３Ａ、ブザーＢＺ１、制御部７Ａを含んで構成される。
【００６４】
前記第１及び第２電磁気場遮断発熱線８Ａａ、８Ａｂは、電源が供給されると熱を発生するものであり、図１〜図２、図６〜図９、図１１及び図１２に示した電磁気場遮断発熱線と等しい構成である。
【００６５】
前記安全回路部１Ａは、パワースイッチＰＷＳ、ヒューズＳＦ、ＴＦ及びサージプロテクタＺＮＲなどで構成されて常用電源に過電圧が発生すると自動で遮られるように作動する。
【００６６】
前記電磁波感知回路部２Ａはタッチ端子ＴＣ、キャパシタＣ１２、抵抗Ｒ１３、Ｒ１４、ランプＬＰ１などでなされて、使用者によってタッチ端子ＴＣがタッチされることによって、前記電磁気場遮断発熱線８Ａａ、８Ａｂに電磁波が発生されるかどうかを感知する。電磁波が感知される場合にはランプＬＰ１が発光するようになる。
【００６７】
前記静電圧回路部６Ａは、キャパシタＣ９、Ｃ１１、Ｃ１３、抵抗Ｒ２１、ダイオードＤ３、Ｄ４、ツェナーダイオードＺＤ１、レギュレーターＲＥＧなどで構成されて、交流電源を整流及び平滑して直流電源を各部に供給する。
【００６８】
前記第１発熱線駆動部５Ａａは抵抗Ｒ３、Ｒ３３、フォトカプラーＰＣ１、キャパシタＣ１、サイリスターＳＲ１などでなされて、前記第１電磁気場遮断発熱線８Ａａに常用電源を供給する。
【００６９】
前記第２発熱線駆動部５Ａｂは、抵抗Ｒ４、Ｒ３２、フォトカプラーＰＣ２、キャパシタＣ２、サイリスターＳＲ２などでなされて前記第２電磁気場遮断発熱線８Ａｂに常用電源を供給する。
【００７０】
前記第１シャント電圧検出回路部９Ａａは、過電流防止素子ＴＨ１、電流検出機ＣＴ１、ダイオードＤ１、キャパシタＣ３、抵抗Ｒ１９、Ｒ３０などでなされて、前記第１電磁気場遮断発熱線８Ａａのシャント電圧を検出する。
【００７１】
前記第２シャント電圧検出回路部９Ａｂは、過電流防止素子ＴＨ２、電流検出機ＣＴ２、ダイオードＤ２、キャパシタＣ４、抵抗Ｒ２０、Ｒ３１などでなされて、前記第２電磁気場遮断発熱線８Ａｂのシャント電圧を検出する。
【００７２】
前記第１熱設定回路部１０Ａａは、抵抗Ｒ７、Ｒ２４、Ｒ２５、可変抵抗ＶＲ１及びキャパシタＣ１４などでなされて、前記第１電磁気場遮断発熱線８Ａａの発熱を設定するための構成である。
【００７３】
前記第２熱設定回路部１０Ａｂは、抵抗Ｒ８、Ｒ２２、Ｒ２３、可変抵抗ＶＲ２及びキャパシタＣ１５などでなされて、前記第２電磁気場遮断発熱線８Ａｂの発熱を設定するための構成である。
【００７４】
前記選択部１１Ａは第１、第２スイッチＳＷ１、ＳＷ２で構成されて、前記第１、第２電磁気場遮断発熱線８Ａａ、８Ａｂの駆動を選択するための構成である。
【００７５】
前記基準電圧発生回路部４Ａは、抵抗Ｒ１２、キャパシタＣ８、基準電圧素子ＲＥＦ１などで構成されて基準電圧を発生する。
【００７６】
前記表示部３Ａは、電源表示ランプＰＬ１、ＰＬ２、電源供給表示ランプＯＵＴ１、ＯＵＴ２、エラー表示ランプＥＲ１、ＥＲ２などで構成されて、前記第１、第２スイッチＳＷ１、ＳＷ２がオンされたことを表示して(ＰＬ１、ＰＬ２)、前記第１、第２電磁気場遮断発熱線８Ａａ、８Ａｂに電源が供給されていることを表示して(ＯＵＴ１、ＯＵＴ２)、前記第１、第２電磁気場遮断発熱線８Ａａ、８Ａｂにエラーが発生したことを表示する(ＥＲ１、ＥＲ２)。
【００７７】
前記ブザーＢＺ１は前記第１または第２電磁気場遮断発熱線８Ａａ、８Ａｂにエラーが発生されるとブザー音を発生するための構成である。
【００７８】
前記制御部７Ａは、前記第１または第２スイッチＳＷ１、ＳＷ２がオンされると、前記第１または第２電磁気場遮断発熱線８Ａａ、８Ａｂを駆動するために前記第１または第２発熱線駆動部５Ａａ、５Ａｂに制御信号を印加して、前記第１及び第２シャント電圧検出回路部９Ａａ、９Ａｂを通じて前記第１及び第２電磁気場遮断発熱線８Ａａ、８Ａｂの発熱による電流を検出して、前記第１及び第２熱設定回路部１０Ａａ、１０Ａｂで設定された値と比べて検出された電流値が設定値以上であると、続いて第１及び第２電磁気場遮断発熱線８Ａａ、８Ａｂに電源を供給するように制御して、設定された値と比べて検出された電流値が設定値未満なら前記第１及び第２電磁気場遮断発熱線８Ａａ、８Ａｂに供給される電源を遮断するように制御して、前記第１及び第２シャント電圧検出回路部９Ａａ、９Ａｂを通じて前記第１及び第２電磁気場遮断発熱線８Ａａ、８Ａｂのヒーター線(純鉄線)または芯線がショートまたは断線されて異常電圧が発生されたものとして感知されると、前記第１及び第２電磁気場遮断発熱線８Ａａ、８Ａｂに供給される電源を遮断するように制御してブザーＢＺ１及び表示部３Ａのエラー表示ランプＥＲ１、ＥＲ２を表示するように制御する。
【００７９】
このように構成された本実施例による寝具類用電磁気場遮断発熱線の駆動装置の動作を説明する。
【００８０】
図１３では電磁気場遮断発熱線が２個連結されたことを示したものであり、電磁気場遮断発熱線の発熱をそれぞれ独立的に制御するようにした。しかし、本発明は２個の電磁気場遮断発熱線を使わないで一つの電磁気場遮断発熱線を使用して、前記電磁気場遮断発熱線を駆動する各駆動部を一つのみで構成することもできる。
【００８１】
先ず、例えば図１のような電磁気場遮断発熱線を前記駆動回路に連結される過程を説明する。
【００８２】
前記電磁気場遮断発熱線の一端の芯線１１０及びヒーター線１３０が前記図１３の駆動回路のＨ１-１及びＨ１-２またはＨ２-１及びＨ２-２端に連結されて、前記電磁気場遮断発熱線の他端の芯線１１０とヒーター線１３０がお互いに連結される。そして、電磁気場遮断発熱線の接地線１５０及び金属薄膜フィルム１６０は電磁波感知回路部２ＡのＥＭ端に連結される。
【００８３】
したがって、コンシャントを常用電源ＡＣ２２０Ｖに差し込んで、パワースイッチＰＷＳにオン(ON)させると、前記常用電源は前記静電圧回路部６Ａで整流及び平滑されてＤＣ電圧である静電圧を各部に提供する。
【００８４】
そして、使用者が前記選択部１１Ａで第１または第２スイッチＳＷ１、ＳＷ２を選択すると選択された電磁気場遮断発熱線８Ａａ、８Ａｂに電源が供給される。すなわち、第１スイッチＳＷ１がオン(on)されると、第１電磁気場遮断発熱線８Ａａに電源が供給されて、前記第１電磁気場遮断発熱線８Ａａが発熱して、前記第２スイッチＳＷ２がオンされると、第２電磁気場遮断発熱線８Ａｂに電源が供給されて、前記第２電磁気場遮断発熱線８Ａｂが発熱するようになる。
【００８５】
この時、前記制御部７Ａは前記表示部３Ａの電源表示ランプＰＬ１、ＰＬ２を発光させて前記第１または第２スイッチＳＷ１、ＳＷ２が選択されたことを表示する。
【００８６】
そして、使用者が前記第１熱設定回路部１０Ａａまたは第２熱設定回路部１０Ａｂの可変抵抗ＶＲ１、ＶＲ２を調節して、第１または第２電磁気場遮断発熱線８Ａａ、８Ａｂの発熱温度を設定する。
【００８７】
このように使用者によって選択部１１Ａ及び第１、第２熱設定回路部１０Ａａ、１０Ａｂで選択されると、前記制御部７Ａは前記第１、第２発熱線駆動部５Ａａ、５Ａｂに制御信号を出力して前記第１、第２電磁気場遮断発熱線８Ａａ、８Ａｂに電源を供給して発熱するようにする。すなわち、出力端ＲＡ２、ＲＡ５に“ハイ”信号を出力すると前記フォトカプラーＰＣ１、ＰＣ２がターンオンされて、各サイリスターＳＲ１、ＳＲ２のゲート端に“ハイ”信号が印加されるので、前記サイリスターＳＲ１、ＳＲ２がターンオンされて、前記常用電源ＡＣ２２０Ｖを各電磁気波遮断発熱線８Ａａ、８Ａｂに電源を印加する。
【００８８】
この時、前記制御部７Ａは前記第１、第２電磁気場遮断発熱線８Ａａ、８Ａｂに電源が供給されると前記表示部３Ａの電源供給表示ランプをターンオンさせて表示して、電源が供給されない時はオフさせる。
【００８９】
このように前記第１、第２電磁気場遮断発熱線８Ａａ、８Ａｂに常用電源を印加すると前記電磁気場遮断発熱線８Ａａ、８Ａｂで熱を発生するようになって、熱が上昇されると、図４及び図５に示すように、前記純鉄で形成されたヒーター線１３０の抵抗値が一定な傾きに上昇するようになる。
【００９０】
したがって、前記ヒーター線１３０が加熱されて抵抗値が上昇するようになると、前記第１、第２シャント電圧検出回路部９Ａａ、９Ａｂの電流感知器CT１、CT２では低い電流が検出されて、検出された電流は前記第１、第２シャント電圧検出回路部９Ａａ、９Ａｂで電圧に変化されて前記制御部７Ａに入力される。
【００９１】
このように前記第１、第２シャント電圧検出回路部９Ａａ、９Ａｂで出力される電圧を前記第１、第２熱設定回路部１０Ａａ、１０Ａｂで設定された値と比べる。そして、前記設定値に近接するように前記出力端ＲＡ２、ＲＡ５で制御信号(ハイ/ロー)を出力して前記第１、第２電磁気場遮断発熱線８Ａａ、８Ａｂに印加される電源をオン/オフさせる。
【００９２】
また、前記第１、第２電磁気場遮断発熱線８Ａａ、８Ａｂのヒーター線１３０と芯線１１０がショートされると相対的にヒーター線１３０の抵抗値が急減して前記第１、第２シャント電圧検出回路部９Ａａ、９Ａｂでは高い電圧が検出されて、前記ヒーター線１３０または芯線１１０がオープンされると、前記第１、第２電磁気場遮断発熱線８Ａａ、８Ａｂに電源を供給しても電圧が検出されないと思われる。
【００９３】
このように前記シャント電圧検出回路部９Ａａ、９Ａｂから任意の設定値以上で電圧が検出されるか、または電圧が検出されなければ、前記制御部７Ａは前記第１、第２電磁気場遮断発熱線８Ａａ、８Ａｂにショートまたはオープンなどのエラーが発生したと判断して前記第１、第２電磁気場遮断発熱線８Ａａ、８Ａｂに供給される電源を遮断して、前記ブザーＢＺ１及び前記表示部３Ａのエラー表示ランプＥＲ１、ＥＲ２をオンさせて寝具類にエラーが発生することを表示する。
【００９４】
また、前記制御部７Ａは内部にタイマーを具備して、前記選択部１１Ａの第１または第２スイッチＳＷ１、ＳＷ２が一定時間(１０時間)以上オン(ON)されていると、使用者が前記寝具類をつけておいた状態で外出したと判断して、前記第１、第２電磁気場遮断発熱線８Ａａ、８Ａｂに供給される電源を遮断する。
【００９５】
また、前記第１、第２電磁気場遮断発熱線８Ａａ、８Ａｂで電磁気場が発生されても、前記接地線１５０及び金属薄膜フィルム１６０によって遮られる。しかし、前記接地線及び金属薄膜フィルム１５０、１６０に誘導電流が発生するようになって、使用者が前記電磁波感知回路部２ＡのＴＣ端子に手を触れるか、またはその他の物質を接触すると前記電磁波感知回路部２ＡのランプＬＰ１が発光するようになる。よって、前記電磁気場遮断発熱線で電磁波を含む電磁気場が発生されても人体に影響を与えることができないように遮断するが、電磁気場が発生されていることを使用者に知らせることができるようになる。
【００９６】
図１４は本発明の第２実施例による寝具類用電磁気場遮断発熱線の駆動装置のブロック構成図である。
【００９７】
図１４に示すように、本発明による電磁気場遮断発熱線の駆動装置は、発熱部Ｃと、安全回路部Ａ、電位点検回路部Ｅ、静電圧回路部Ｂ、出力回路部Ｄ、温度設定回路部Ｍ、温度検出回路部Ｈ、過電流保護回路部Ｋ、温度比較回路部Ｆ、タイム発生回路部Ｇを含む。
【００９８】
前記発熱部Ｃは純鉄線でなされたヒーター線を具備して常用電源が供給されると熱を発生して、温度が高くなるほど前記ヒーター線の抵抗が増加する構成で、図１〜図２、図６〜図９、図１１及び図１２に示した電磁気場遮断発熱線を含む。
【００９９】
前記安全回路部Ａは、前記発熱部Ｃに供給される常用電源に過電圧が発生すると自動で電源供給を遮断する。前記電位点検回路部Ｅは、前記発熱部Ｃに電磁気波が発生されることを点検する。
【０１００】
前記静電圧回路部Ｂは、前記発熱部Ｃに供給される常用電源を整流及び平滑して直流電源を各部に供給する。前記出力回路部Ｄは前記発熱部Ｃに供給される常用電源の供給を調節する。前記温度設定回路部Ｍは、前記発熱部Ｃの発熱温度を設定するための構成である。前記温度検出回路部Ｈは前記発熱部Ｃの温度を検出する。
【０１０１】
前記過電流保護回路部Ｋは、前記発熱部Ｃに過電流が発生すると前記温度設定回路部Ｍの設定値に無関に前記発熱部Ｃに電源が供給されないように前記温度設定回路部Ｍに制御信号を出力する。
【０１０２】
前記温度比較回路部Ｆは、前記温度設定回路部Ｍの温度設定による電圧と前記温度検出回路部Ｈの温度検出による電圧を比べて、前記温度検出回路部Ｈの電圧が前記温度設定回路部Ｍの電圧より高い場合前記出力回路部が前記常用電源を前記発熱部に供給するように制御信号を出力して前記温度検出回路部Ｈの電圧が前記温度設定回路部Ｍの電圧より低い場合、前記出力回路部Ｄが前記常用電源を前記発熱部Ｃに供給しないように制御信号を出力する。
【０１０３】
前記タイム発生回路部Ｇは、任意のデューティー比を有するパルス信号を出力して温度比較回路部Ｆが前記常用電源が前記発熱部Ｃに供給されないように制御信号を出力する場合には、温度を検出するために短い時間の間常用電源を発熱部Ｃに供給するように制御する。ここで未説明した図面符号８は電位点検ガイド線である。
【０１０４】
図１５は、本発明の第２実施例による寝具類用電磁気場遮断発熱線の駆動装置に対する一例の具体回路図である。
【０１０５】
本発明による第２実施例による寝具類用電磁気場遮断発熱線の駆動装置に対する一例の動作に対して図１５を参照して説明する。
【０１０６】
前記発熱部Cは、図１〜図２、図６〜図９、図１１及び図１２に示すように芯線６及び純鉄線でなされたヒーター線５と接地線(シールド線)７を具備した電磁気場遮断発熱線で構成されて、前記発熱線の温度が高くなると、発熱線の抵抗も増加して相対的に発熱線に流れる電圧が減少される。
【０１０７】
前記安全回路部Ａは、パワースイッチ３、ヒューズ４などで構成されて、前記パワースイッチ３がオン(ON)されると常用電源を発熱部Ｃに供給して、前記常用電源に過電圧が発生すると前記ヒューズ４が切断して前記常用電源を自動で遮断する。
【０１０８】
前記静電圧回路部Ｂは、リミットコンデンサー２２、２３、リミット抵抗２４、２８、複合整流ダイオード２５、２６、ツェナーダイオード２７、平滑コンデンサー２９及び電源表示ランプ３０などで構成されて、前記常用電源を整流及び平滑して直流電源(ＤＣ)を各部に供給して、前記電源表示ランプ３０が発光して常用電源が前記発熱部Ｃに供給されていることを表示してくれる。
【０１０９】
前記電位点検回路部Ｅは、電位点検ガイド線８、増幅トランジスター１０、１３、２０、コンデンサー９、バイアスコンデンサー１４、１７、バイアスダイオード１１、リミット抵抗１２、１５、１９、バイアス抵抗１６、電位点検ランプ１８、電位点検ボタン２１などで構成されて、前記発熱部Cで電磁場または磁界場が発生されて有害電磁気波が発生されると前記発熱部Ｃのシールド線７及び電位点検ガイド線８に雑音が入って来て、前記コンデンサー９、１４、１７、増幅トランジスター１０、１３及び抵抗を通じて前記雑音が増幅されて、前記電位点検ボタン２１がタッチされると、前記電位点検ランプ１８が駆動されて発光されるので、電位を点検することができる。この時、前記安全回路部の常用電源プラグ位置を変えて端子１を大地と接地されるようにすると電磁気波発生による雑音が感知されないし、これと同時に前記発熱部Ｃの接地線(シールド線)７が大地と接地されるので、電磁気波が発生しないで電位点検回路部Ｅの電位点検ガイド線８に誘導雑音が発生しないので、電位点検回路部Ｅの増幅が止めるようになって、前記電位点検ランプ１８が消燈されるので、使用者は電磁気波が発生しない寝具類を使用することができるようになる。ここで、前記電位点検ガイド線８はシールド線(接地線)７に近接するように設置されて、前記シールド線(接地線)７に巻かれた構成である。
【０１１０】
前記温度検出回路部Ｈは、リミット抵抗６１、分圧抵抗６３及びバイアスコンデンサー６２などで構成されて、前記発熱部Ｃの温度を検出して、それによる電圧を出力するようになる。すなわち、温度が低ければ高い電圧が出力されて、温度が高ければ相対的に低い電圧が出力される。
【０１１１】
前記温度設定回路部Ｍは、分圧抵抗４８、５０、温度設定可変抵抗４９、リミット抵抗４５、４７、電圧を償うための電圧補償素子４６などで構成されて、前記温度設定可変抵抗４９の抵抗値を可変して温度を設定して、それによる電圧を出力する。
【０１１２】
前記過電流保護回路部Ｋは、複合分圧抵抗７６、７７、電圧補償素子７５、リミット抵抗６５、６６、６８、７２、７３、バイアス抵抗６９、７９、遅延コンデンサー６４、バイアスコンデンサー７４、検波ダイオード６７、駆動トランジスター７０及び過電流素子７１などで構成されて、前記温度検出回路部Ｈを通じて前記発熱部Ｃで過電流が発生されることを感知して前記温度設定回路部Ｍにハイ(High)信号を出力する。よって、前記温度設定回路部Ｍの温度設定抵抗値にかかわらず前記発熱部Ｃに供給される電源を遮断するようになる。
【０１１３】
前記温度比較回路部Ｆは、リミット抵抗４０、４３、ヒステリシス抵抗４１、温度比較素子４２、雑音除去コンデンサー４４などで構成されて、前記温度設定回路部Ｍで出力された信号と前記温度検出回路部Ｈで出力された信号を比べてその結果によって前記出力回路部Ｄに制御信号を出力する。
【０１１４】
すなわち、前記温度検出回路部Ｈで出力された電圧が前記温度設定回路部Ｍで出力された電圧より高ければ前記常用電源が前記発熱部Cに供給されるように前記出力回路部Ｄに制御信号を出力して、前記温度検出回路部Ｈで出力された電圧が前記温度設定回路部Ｍで出力された電圧より低ければ前記常用電源が前記発熱部Cに供給されないように前記出力回路部Ｄに制御信号を出力する。
【０１１５】
前記タイム発生回路部Gは、タイム発生素子５６、分圧抵抗５９、６０、バイアス抵抗５７、バイパスコンデンサー５８、タイム分圧抵抗５２、タイム分圧コンデンサー５３、リミット抵抗５１、５４、パルス駆動トランジスター５５などで構成されて、前記タイム発生素子５６で一定なパルス信号を出力して、前記パルス信号によって前記パルス駆動トランジスター５５が前記温度比較回路部Ｆの出力端を接地端に連結するか、または遮断する。ここで、前記タイム発生素子５６は集積回路ＬＭ５５５が適当である。
【０１１６】
前記出力回路部Ｄは、複数個のダイオード３１、３２、３３、３８、トランジスター７８、リミット抵抗３４、３７、バイアスコンデンサー３９、出力制御用サイリスター３６、出力表示ランプ３５などで構成されて、前記温度比較回路部Ｆで出力される制御信号によって前記発熱部Cに供給される常用電源をスイッチングして、前記タイム発生回路部Gによって瞬間的に前記発熱部Cに常用電源を供給する。
【０１１７】
すなわち、トランジスター７８及び出力制御用サイリスター３６の連動によって常用電源を前記発熱部Cに供給する。この時、前記出力制御用サイリスター３６を媒介して前記安全回路部Ａの端子２と発熱部Cのヒーター線５との間を前記第１ダイオード３１が順方向に連結して、第２ダイオード３３が前記発熱部Cのヒーター線５と芯線６との間を順方向に連結して、第３ダイオード３２は逆放電を防止する機能をする。
【０１１８】
言い換えれば、前記発熱部Cのヒーター線５の一端は前記第１ダイオード３１及び出力制御用サイリスター３６を通じて常用電源(プラグ)の端子２側に連結されて、前記芯線６の一端は常用電源(プラグ)の端子１に連結される。そして、前記ヒーター線５の他端は前記第２ダイオード３３を通じて前記芯線６の他端に連結されて、前記接地線(シールド線)７もヒーター線と共に前記常用電源(プラグ)の端子１に連結される。
【０１１９】
図１６は本発明の第２実施例による寝具類用電磁気場遮断発熱線の駆動装置に対する他の例の具体回路図である。
【０１２０】
本発明の第２実施例による寝具類用電磁気場遮断発熱線の駆動装置に対する他の例の動作に対して図１６を参照して説明する。
【０１２１】
図１６に示した本発明の第２実施例の他の例による寝具類用発熱線の駆動装置は、出力回路部を除いた残り構成要素は図１５で説明した例と等しいので、その説明は略して、出力回路部のみに対して説明する。
【０１２２】
図１５の出力回路部Ｄの構成で、サイリスター３６がオン/オフ動作する時ピーク電圧が発生する可能性があって、これによって駆動装置の素子らが破損される可能性がある。よって、これを防止するために本例の寝具類用発熱線の駆動装置では、図１６に示すように、前記常用電源が発熱部Cの芯線６、前記出力回路部Ｄのダイオード３３、前記発熱部Cのヒーター線５、サイリスター３６及びダイオード３１を順次に通じて流れるようにして、前記サイリスター３６と接地端との間に巻線抵抗(wire wound resistor)８０をさらに設置した。
【０１２３】
前記巻線抵抗８０はリアクタンスがない抵抗であり、２個の巻線でなされたものである。
【０１２４】
このように構成された本発明による電磁気場遮断用発熱線の駆動装置の動作を説明する。
【０１２５】
電源プラグを常用電源プラグに差し込んで、安全回路部Ａの電源スイッチ３をオンさせると常用電源ＡＣ２２０Ｖが前記静電圧回路部Ｂ及び出力回路部Ｄに供給される。
【０１２６】
前記静電圧回路部Ｂは前記常用電源を整流及び平滑して各部に直流電源を供給する。この時、前記静電圧回路部Ｂの電源表示ランプ３０が発光して常用電源が寝具類用発熱線駆動回路に供給されることを表示する。
【０１２７】
また、常用電源が前記出力回路部Ｄのダイオード３１、サイリスター３６、前記発熱部Cのヒーター線５、ダイオード３３、及び芯線６に流れるようになるので、前記発熱部Cが発熱される。
【０１２８】
このように、前記発熱部Cが発熱されると、前記出力回路部Ｄの出力表示ランプ３５が点等と消燈が繰り返されて発熱部Cが発熱されていることを表示してくれる。前記出力回路部Ｄのダイオード３２は逆放電を防止する機能をする。
【０１２９】
この時、前記のように前記発熱部Cが発熱されると、前記純鉄線でなされたヒーター線５の熱が上がるようになって、前記発熱部(C、発熱線)の温度と発熱線の抵抗は比例するので、発熱線に流れる電圧は温度に反比例する。
【０１３０】
すなわち、初期には前記発熱部Cの温度が低いので、発熱部Cの発熱線は抵抗が低く前記発熱部に流れる電圧は高い。そして、時間が経って前記発熱部Cの温度が高くなると前記発熱部Cの抵抗が高くなるので、相対的に前記発熱部Cに流れる電圧は低くなる。
【０１３１】
前記温度検出回路部Ｈは、前記出力回路部Ｄのダイオード３３のカソードから前記発熱部Cに供給される電圧を検出して前記過電流保護回路部Ｋの過電流比較素子７１の反転端子(-)及び前記温度比較回路部Ｆの温度比較素子４２の反転端子(-)にそれぞれ供給する。
【０１３２】
上述したところのように、初期には前記温度検出回路部Ｈで検出された電圧は高くて温度が上がるほど前記検出された電圧は低くなる。
【０１３３】
そして、前記静電圧回路部Ｅで供給される直流電源によって前記タイム発生回路部Gが動作してタイム発生素子５６で適切なデューティー比(オンタイムとオフタイムとの比)を有するパルス信号が出力されるので、前記パルス駆動トランジスター５５がオン/オフを繰り返すようになる。
【０１３４】
この時、前記タイム発生素子５６は前記バイアス抵抗５７及びバイパスコンデンサー５８などによってデューティー比が調節されることができるし、本発明ではオンタイムがオフタイムより相対的に非常に短いデューティー比を有する。例えば、前記オンタイムは３秒であり、オフタイムが３０秒であるデューティー比を有するパルス信号が出力される。
【０１３５】
また、使用者が前記温度設定回路部Ｍの温度設定可変抵抗４９を調節して願う温度を設定して、前記可変抵抗４９の抵抗値によって前記電圧補償素子４６が一定な電圧を前記温度比較回路部Ｆの温度比較素子４２の非反転端子(+)に出力する。この時、前記温度設定回路部Ｍで出力された電圧は前記温度検出回路部Ｈで初期に出力される電圧よりさらに低く設定される。
【０１３６】
前記温度比較回路部Ｆの前記温度比較素子４２は、前記温度検出回路部Ｈで出力された電圧が前記温度設定回路部Ｍで設定された電圧より高ければ“ロー”信号を出力して、前記温度検出回路部Ｈで出力された電圧が前記温度設定回路部Ｍで出力される電圧より低ければ“ハイ”信号を出力する。
【０１３７】
ところが、初期には前記温度検出回路部Ｈで出力された電圧が前記温度設定回路部Ｍで出力される電圧より高いので、前記温度比較回路部Ｆの前記温度比較素子４２は、“ロー”信号を出力する。よって、このように前記温度比較回路部Ｆの前記温度比較素子４２で“ロー”信号が出力されると、前記出力回路部Ｄのトランジスター７８がターンオンされて、前記サイリスター３６のゲート端子にハイ信号が印加される。そして、前記サイリスター３６がターンオンされるので、上述したところのように発熱部Cに常用電源がずっと印加される。
【０１３８】
この時、前記タイム発生回路部Gのパルス駆動トランジスター５５が前記のようなデューティー比によってオン/オフされても、これにかかわらず前記温度比較回路部Ｆの前記温度比較素子４２で前記出力回路部Ｄのトランジスター７８のゲート端子に印加される出力信号は引き続き“ロー”信号を維持する。
【０１３９】
このように前記出力回路部Ｄによってずっと前記発熱部Cに常用電源が供給されて前記発熱部Cの発熱線が前記温度設定回路部Ｍで設定された温度以上に加熱されると、前記温度検出回路部Ｈで出力された電圧が前記温度設定回路部Ｍで設定された電圧より低くなるので、前記温度比較回路部Ｆの前記温度比較素子４２は“ハイ”信号を出力する。
【０１４０】
この時、前記タイム発生回路部Gのパルス駆動トランジスター５５は前記のようなデューティー比を有するパルス信号によって３秒間オンされて、３０秒間オフされる。よって、前記温度比較回路部Ｆの前記温度比較素子４２で出力された“ハイ”信号は前記タイム発生回路部Gのパルス駆動トランジスター５５のオン/オフ動作によって３秒間は“ロー”信号を維持して、３０秒間は“ハイ”信号を維持する。
【０１４１】
その理由は、前記パルス駆動トランジスター５５がターンオンされる時に前記温度比較回路部Ｆの前記温度比較素子４２の出力端が接地端に連結されて、前記パルス駆動トランジスター５５がターンオプされる時に前記温度比較回路部Ｆの前記温度比較素子４２の出力端が接地端に連結されないからである。
【０１４２】
このように、前記温度比較回路部Ｆの前記温度比較素子４２で“ハイ”信号を出力しても、前記タイム発生回路部Gによって前記出力回路部Ｄのトランジスター７８は３秒間オン動作をして、３０秒間はオフ動作をする。
【０１４３】
このように前記出力回路部Ｄのトランジスター７８が３秒間オン動作をして、３０秒間はオフ動作をすると、前記常用電源によって発熱部Cが発熱されないが、３秒間常用電源が供給されるので、この時前記温度検出回路部Ｈは温度を検出して、それに相応する電圧を出力するようになる。
【０１４４】
したがって、前記温度比較回路部Ｆの前記温度比較素子４２は、前記温度設定回路部Ｍで設定された電圧と前記温度検出回路部Ｈで出力された電圧を比べて、前記発熱部Cの温度を自動で調節する。
【０１４５】
一方、前記温度検出回路部Ｈで前記発熱部のショートなどによって過電流が発生するようになると、前記過電流保護回路部Ｋは前記駆動トランジスター７０がターンオンされるので、前記温度設定回路部Ｍの電圧補償素子４６に“ハイ”信号が印加される。
【０１４６】
このように、前記温度設定回路部Ｍの電圧補償素子にハイ信号が印加されると、前記出力回路部Ｄのトランジスター７８のベースにハイレベルが印加されて発熱部Cに常用電源が供給されない。
【０１４７】
また、前記発熱部Cの発熱線で電磁気波が発生されると、すなわち、前記安全回路部Ａの端子１に雑音が発生されると、前記電位点検回路部Ｅの増幅トランジスター１０、１３によって前記雑音が増幅される。そして、前記電位点検回路部Ｅの電位点検ボタン２１を使用者がタッチすると前記電位点検ランプ１８が点燈されて前記発熱部Cに電磁気波が発生されることを表示する。
【０１４８】
この時、前記電源プラグの位置を変えてコンシャントに差し込むと、前記安全回路部Ａの端子１が大地と接地されるので、雑音が感知されない。そして、併せて前記発熱部Cも安全回路部Ａの端子１と発熱部Cのシールド線７が大地に接地されるので、前記発熱部Cに電磁気波が発生されないで、電位点検回路部Ｅの電位点検ガイド線８に誘導雑音が発生されないので、電位点検ランプ１８が消燈されて使用者に電磁気波が発生されないことを表示する。
【０１４９】
一方、前記図１１及び図１２の実施例では絶縁内皮と絶縁紙との間に糸被服を形成したが、本発明はこれに限定されないで、ヒーター線と絶縁内皮との間に形成しても良いものである。
【０１５０】
一方、本発明は前記した特定実施例に限定されるものではなく、本発明の要旨を脱しない範囲内でいろいろに変形及び修正して実施することができるものである。このような変形及び修正が添付する特許請求範囲に属することなら本発明に含まれるものであることは自明である。
【図面の簡単な説明】
【０１５１】
【図１】本発明の第１実施例による寝具類用電磁気場遮断発熱線の構成図である。
【図２】本発明の第２実施例による寝具類用電磁気場遮断発熱線の構成図である。
【図３】本発明の第３実施例による寝具類用電磁気場遮断発熱線の構成図である。
【図４】本発明による寝具類用電磁気場遮断発熱線でヒーター線に使用された純鉄の温度による抵抗値の変化表である。
【図５】本発明による寝具類用電磁気場遮断発熱線でヒーター線に使用された純鉄の温度による抵抗変化グラフである。
【図６】本発明の第４実施例による寝具類用電磁気場遮断発熱線の構成図である。
【図７】本発明の第５実施例による寝具類用電磁気場遮断発熱線の構成図である。
【図８】本発明の第６実施例による寝具類用電磁気場遮断発熱線の構成図である。
【図９】本発明の第７実施例による寝具類用電磁気場遮断発熱線の構成図である。
【図１０】本発明による第１ないし第３実施例電磁気場遮断発熱線と第４ないし第７実施例の電磁気場遮断発熱線の温度と抵抗の変化を比べたグラフである。
【図１１】本発明の第８実施例による寝具類用電磁気場遮断発熱線の構成図である。
【図１２】本発明の第９実施例による寝具類用電磁気場遮断発熱線の構成図である。
【図１３】本発明の第１実施例による寝具類用電磁気場遮断発熱線の駆動装置に対する具体回路図である。
【図１４】本発明の第２実施例による寝具類用電磁気場遮断発熱線の駆動装置に対するブロック構成図である。
【図１５】本発明の第２実施例による寝具類用電磁気場遮断発熱線の駆動装置に対する一例の具体回路図である。
【図１６】本発明の第２実施例による寝具類用電磁気場遮断発熱線の駆動装置に対する他の例の具体回路図である。
【符号の説明】
【０１５２】
１Ａ  安全回路部
２Ａ  電磁波感知回路部
３Ａ  表示部
４Ａ  基準電圧発生回路部
５Ａ  発熱線駆動部
６Ａ  静電圧回路部
７Ａ  制御部
８Ａａ  第１電磁気場遮断発熱線
８Ａｂ  第２電磁気場遮断発熱線
９Ａ  シャント(shunt)電圧検出回路部
１０Ａ  熱設定回路部
１１Ａ  選択部
Ａ  安全回路部
Ｂ  静電圧回路部
Ｃ  発熱部
Ｄ  出力回路部
Ｅ  電位点検回路部
Ｆ  温度比較回路部
Ｇ  タイム発生回路部
Ｈ  温度検出回路部
Ｋ  過電流保護回路部
Ｍ  温度設定回路部
【図１】
2008039384.tif 000003
【図２】
2008039384.tif 000004
【図３】
2008039384.tif 000005
【図４】
2008039384.tif 000006
【図５】
2008039384.tif 000007
【図６】
2008039384.tif 000008
【図７】
2008039384.tif 000009
【図８】
2008039384.tif 000010
【図９】
2008039384.tif 000011
【図１０】
2008039384.tif 000012
【図１１】
2008039384.tif 000013
【図１２】
2008039384.tif 000014
【図１３】
2008039384.tif 000015
【図１４】
2008039384.tif 000016
【図１５】
2008039384.tif 000017
【図１６】
2008039384.tif 000018